(57)【特許請求の範囲】
【請求項１】
携帯端末機の本体を傾斜して支持するクレードル装置であって、
クレードルボディと、
前記クレードルボディの底面に設けられるハウジングと、
前記クレードルボディの閉状態及び回動された状態を支持するために配置されるカムと、
前記カムに提供される回転軸を貫通して前記クレードルボディを回動自在に結合し、前記クレードルボディのハウジングの外側に配置されるシャフトと、
前記クレードルボディのハウジング内に少なくとも部分的に受容されて前記カムと連動するように配置される部材と、
前記クレードルボディのハウジング内に少なくとも部分的に受容されて前記部材と結合して前記クレードルボディの伸長方向に沿って配置される弾性体と、を備え、
前記カムは、
前記クレードルボディの回動軸に沿って伸びるように配置され、
前記カムの外部面は、曲面を有するカム面と、前記クレードルボディの回動による前記カムの回動を防止する平坦面と、を含み、
前記カム面は、第１の溝と第２の溝とを備え、
前記第１の溝は、前記部材が受容されて前記クレードルボディの閉状態を保持し、
前記第２の溝は、前記部材の回動経路に沿って前記第１の溝と並列に位置し、前記部材が受容されて前記クレードルボディに対して回動された状態を保持し、
前記部材、前記弾性体、前記第１の溝、及び前記第２の溝は、一対で提供されることを特徴とするクレードル装置。
【請求項２】
前記部材は、前記カムに密着するように配置されて前記クレードルボディに対して保持力を提供し、球形形状を有することを特徴とする請求項１に記載のクレードル装置。
【請求項３】
前記カムの平坦面は、前記携帯端末機の本体底面の所定位置に密着固定されることを特徴とする請求項１に記載のクレードル装置。
【請求項４】
前記第１の溝と第２の溝との間に接続溝をさらに備えることを特徴とする請求項１に記載のクレードル装置。
【請求項５】
前記クレードルボディは、前記シャフト及び該シャフトに結合されて前記携帯端末機の本体底面に固定されるブラケットによって回動自在に装着されることを特徴とする請求項１に記載のクレードル装置。
【請求項６】
前記クレードルボディが閉状態にある場合、前記ブラケットは、前記ハウジングを完全に受容するための開放空間を備えることを特徴とする請求項５に記載のクレードル装置。
【請求項７】
前記クレードルボディの閉状態を支持するホルダーをさらに有することを特徴とする請求項１に記載のクレードル装置。
【請求項８】
前記ホルダーは、
前記携帯端末機の本体底面の所定位置に備えられる突起と、
前記クレードルボディに備えられ、前記クレードルボディの移動を防止するために前記突起を挿入する開口と、を含むことを特徴とする請求項７に記載のクレードル装置。
【請求項９】
前記第１の溝及び前記第２の溝の形状は相互に異なり、
それによって前記部材が第２の溝に挿入されて提供される前記クレードルボディの回動状態を維持するための保持力が、前記第１の溝に前記部材が挿入されて提供される前記クレードルボディの閉状態を維持するための保持力より大きいことを特徴とする請求項１に記載のクレードル装置。
【発明の詳細な説明】
【技術分野】
【０００１】
本発明は、携帯端末機に関するものであって、特に、携帯端末機を傾斜して位置決めさせるクレードル装置（ｃｒａｄｌｉｎｇ  ａｐｐａｒａｔｕｓ）に関する。
【背景技術】
【０００２】
一般的に携帯端末機は、携帯電話、スマートフォン、ノート型パソコン、ＰＤＡ（Ｐｅｒｓｏｎａｌ  Ｄｉｇｉｔａｌ  Ａｓｓｉｓｔａｎｔ）、タブレット型パソコンのような情報デバイスを意味する。
これらデバイスは、音声及びデータ機能に加えて、ＤＭＢ（Ｄｉｇｉｔａｌ  Ｍｕｌｔｉｍｅｄｉａ  Ｂｒｏａｄｃａｓｔｉｎｇ）機能、ＴＶ視聴機能、インターネット機能、高画素カメラ撮影機能、及び動画像撮影機能のような多様な他の機能を提供している。多様な機能を一つの携帯端末機が担当するためには、携帯端末機本体のサイズが大きくなり、それによって携帯が不便になるという問題点が発生する。
そのため、マルチメディア分野で小型化、軽量化、及びスリム化のための多くの努力を傾けている。
【０００３】
また、ユーザーの視聴を容易にするために、携帯端末機は、大型ディスプレイ装置と共に、携帯端末機本体の底面に装着されるクレードル装置を備える。
このクレードル装置は、携帯端末機と共に使用するために独立的に製造してもよく、あるいは携帯端末機の本体に一体化して製造してもよい。
【０００４】
従来の携帯端末機に採用されたクレードル装置の例は、韓国の特許文献１及び２、米国の特許文献３に開示されている。
けれど、開示されている携帯端末機に使用されるクレードル装置は、携帯端末機におけるスリム化を実現しにくい。既に言及したように、携帯端末機の小型化、軽量化、及びスリム化は、端末機の携帯性を改善するために重要な要素である。
しかしながら、携帯端末機本体の底面に備えられる従来のクレードル装置は、外観的に露出しており、携帯端末機のスリム化に妨げになるという問題があった。
【先行技術文献】
【特許文献】
【０００５】
【特許文献１】韓国特許出願公開第１０−２０１０−０２１３９２号明細書
【特許文献２】韓国特許出願公開第１０−２００６−０７３０８５号明細書
【特許文献３】米国特許出願公開第２０１０／０２２４７４４号明細書
【特許文献４】特開２００７−２８２１１６号公報
【発明の概要】
【発明が解決しようとする課題】
【０００６】
そこで、本発明は上記従来の携帯端末機に採用されたクレードル装置における問題点に鑑みてなされたものであって、本発明の目的は、便利に開閉可能な携帯端末機のスリム型クレードル装置を提供することにある。
また、本発明の他の目的は、携帯端末機本体の底面に備えられるスリム型クレードル装置を提供することにある。
【課題を解決するための手段】
【０００７】
上記目的を達成するためになされた本発明によるクレードル装置は、携帯端末機の本体を傾斜して支持するクレードル装置であって、クレードルボディと、その構成要素は前記クレードルボディの伸長方向に沿って配置され、前記クレードルボディの閉状態及び回動された状態を支持するために前記クレードルボディの回動と連動する保持装置とを有することを特徴とする。
【発明の効果】
【０００８】
本発明に係るクレードル装置によれば、クレードルボディに力を提供する保持装置をクレードルボディの伸長方向に従って並列に配置し、カムに溝を配置することで、携帯端末機のスリム型クレードル装置を提供するのに有利であるという効果を有する。
また、このスリム型クレードル装置は、デザイナーにとっては携帯端末機の外観デザインに制約要素とはならず、ユーザーにとっては携帯端末機の携帯及び日常の使用が便利になるという効果を有する。
【図面の簡単な説明】
【０００９】
【図１】本発明による閉状態のクレードル装置が装着された携帯端末機の底面を示す斜視図である。
【図２】図１に示したクレードル装置が開放されるプロセスを示す斜視図である。
【図３】図１に示した携帯端末機の本体がクレードル装置により傾斜して支持される状態を示す斜視図である。
【図４】本発明によるクレードル装置の構成を示す分解斜視図である。
【図５】本発明によるクレードル装置の構成を示す組立斜視図である。
【図６】本発明によるクレードル装置に使用されるカムを示す斜視図である。
【図７】本発明による閉状態のクレードル装置の構成を示す部分断面図である。
【図８】本発明による開状態のクレードル装置の構成を示す部分断面図である。
【発明を実施するための形態】
【００１０】
次に、本発明に係るクレードル装置を実施するための形態の具体例を図面を参照しながら説明する。
【００１１】
添付した図において、同一の構成要素または機能的に類似した構成要素に対しては同一の参照符号及び参照番号を付けた。
携帯端末機は、スマートフォン、タブレット型パソコンのような情報デバイスであり得る。
【００１２】
図１は、本発明による閉状態のクレードル装置が装着された携帯端末機の底面を示す斜視図であり、図２は、図１に示したクレードル装置が開放されるプロセスを示す斜視図であり、図３は、図１に示した携帯端末機の本体がクレードル装置により傾斜して支持される状態を示す斜視図である。
図１〜３に示すように、本発明によるクレードル装置２０は、スリムに構成されることによって、携帯端末機の本体１０に備えられているディスプレイ装置１０２を傾斜して支持するように、携帯端末機本体１０の底面１０１の所定位置に装着される。
【００１３】
図１は、クレードル装置２０のクレードルボディ２１０が閉状態であることを示し、図２はクレードルボディ２１０が所定角度で回動して開いた状態を示し、図３はクレードルボディ２１０が携帯端末機の本体１０を傾斜して支持している状態を示す。図１に示すように、クレードル装置２０は、閉状態で携帯端末機の背面にくっついて携帯端末機と同一平面をなすので、スリムな外観を可能にする。
図３に示す状態において、ユーザーは、傾斜して配置されたディスプレイ装置１０２を便利に見ることができる。
【００１４】
図４は、本発明によるクレードル装置の構成を示す分解斜視図であり、図５は、本発明によるクレードル装置の構成を示す組立斜視図である。
図４及び図５を参照すると、クレードル装置２０は、クレードルボディ２１０と保持装置を含む。
クレードルボディ２１０は、長いバー形状であり、閉状態、又は所定角度による回動された状態（開いた状態）である場合に、保持装置から提供される力によって閉状態又は回動された状態を維持する。
このクレードルボディ２１０は、所定形状の開口２１１（図２参照）とハウジング２１２を備えており、ハウジング２１２は後述する部材２４０、２４２及び弾性体２３０、２３２を受容する。
【００１５】
保持装置の構成要素は、スリム化のためにクレードルボディ２１０の伸長方向に沿って並列に配置される。
保持装置は、クレードルボディ２１０の閉状態及び回動された状態を支持するためにこのクレードルボディ２１０の回動と連動する。
保持装置は、カム２２０、部材２４０、２４２、及び弾性体２３０、２３２を含む。カム２２０、部材２４０、２４２、及び弾性体２３０、２３２は、クレードルボディ２１０の長手方向に並列配列される。
【００１６】
カム２２０は携帯端末機本体の底面に固定され、部材２４０、２４２と弾性体２３０、２３２はクレードルボディ２１０のハウジング２１２に受容される。
部材２４０、２４２は、クレードルボディ２１０の回動によってカム２２０と連動してこのクレードルボディ２１０の保持位置を決定する。
部材２４０、２４２は、カム２２０とのカム運動のために球形形状が好ましい。
【００１７】
弾性体２３０、２３２は、クレードルボディ２１０の長手方向に従ってハウジング２１２に受容され、部材２４０、２４２と結合されるように配置される。弾性体２３０、２３２は、部材２４０、２４２をカム２２０に密着させることによって、クレードルボディ２１０の保持力を提供する。
弾性体２３０、２３２は、圧縮コイルバネが好ましい。
これら弾性体２３０、２３２の一端は、ハウジング２１２の一側壁により支持され、他端は、部材２４０、２４２に密着する。
【００１８】
図６は、本発明によるクレードル装置に使用されるカムを示す斜視図である。
図６に示すように、カム２２０は、クレードルボディ２１０の回動軸Ａ（図５参照）に沿って伸びるように配置される。カム２２０は、クレードルボディ２１０の回動中に部材２４０、２４２（図４参照）とカム運動をしても、回動されずに固定状態を維持しなければならない。
【００１９】
このために、カム２２０の外部面は、カム面２２１と平坦面２２２を含む。
カム面２２１は、クレードルボディ２１０の回動による部材２４０、２４２とのカム運動を遂行するために曲面である。
平坦面２２２は、クレードルボディ２１０の回動によるカム２２０の回動を防止するように、携帯端末機本体の底面に密着固定される。
【００２０】
図４及び図５に示すように、カム２２０は、ブラケット２５０とシャフト２６０によって携帯端末機本体の底面に固定される。シャフト２６０は、カム２２０に提供される回動軸Ａを貫通するように組み立てられ、それによってブラケット２５０と結合される。
【００２１】
図６及び図４に示すように、カム面２２１は、部材２４０、２４２（図４参照）が挿入され、クレードルボディ２１０の保持力を提供するために形成された少なくとも一つの溝２２３ａ、２２３ｂ、及び２２４ａ、２２４ｂを有する。
これら溝は、部材２４０，２４２と弾性体２３０、２３２（図４参照）との間の結合力を通じてクレードルボディ２１０の保持力を提供する。
【００２２】
上記溝は、第１の溝２２３ａ，２２３ｂと、第２の溝２２４ａ，２２４ｂを含む。
部材２４０、２４２は、クレードルボディ２１０の閉状態を維持するように第１の溝２２３ａ、２２３ｂに挿入される。
第２の溝２２４ａ、２２４ｂは、クレードルボディ２１０の回動中に部材２４０、２４２の回動経路に沿って第１の溝２２３ａ、２２３ｂと並列に配置され、部材２４０、２４２は、クレードルボディ２１０の回動された（開いた）状態を維持するように第２の溝２２４ａ、２２４ｂに挿入される。
【００２３】
クレードルボディ２１０の閉状態と回動された（開いた）状態の保持力を向上させるために、構成要素は、一対からなることが好ましい。すなわち、弾性体２３０、２３２、部材２４０、２４２、第１の溝２２３ａ、２２３ｂ、及び第２の溝２２４ａ、２２４ｂは一対で構成されることが望ましい。
【００２４】
第１の溝２２３ａ、２２３ｂと第２の溝２２４ａ，２２４ｂとの間に、各々接続溝２２５ａと２２５ｂが提供される。
この接続溝２２５ａ、２２５ｂは、クレードルボディ２１０の回動時に部材２４０、２４２が第１の溝２２３ａ、２２３ｂから第２の溝２２４ａ、２２４ｂに移動するか、又は、第２の溝２２４ａ、２２４ｂから第１の溝２２３ａ、２２３ｂに移動する場合に移動経路をガイドする。
接続溝２２５ａ、２２５ｂは、部材２４０、２４２と第１の溝２２３ａ、２２３ｂとの挿入又は離脱、あるいは第２の溝２２４ａ，２２４ｂとの挿入又は離脱をする場合に、この動作の遂行を容易にする。
言い換えれば、接続溝２２５ａ、２２５ｂは、クレードルボディ２１０の回動動作を円滑にするのに役立つ。
【００２５】
また、第１の溝２２３ａ、２２３ｂと第２の溝２２４ａ，２２４ｂの形状は、相互に異なる。
すなわち、第１の溝２２３ａ、２２３ｂは、おおよそ半円錐状であり、第２の溝２２４ａ、２２４ｂはおおよそ円筒形である。これは、クレードルボディ２１０が閉状態よりは回動された（開いた）状態でさらに強い保持力が提供される必要があるためである。
【００２６】
本発明では、クレードルボディ２１０の閉状態と第１の角度による回動された（開いた）状態の保持力を提供するために、第１の溝２２３ａ、２２３ｂ及び第２の溝２２４ａ、２２４ｂがカム２２０に形成されることを提示したが、本発明は、これに限定されるものではない。したがって、携帯端末機本体のクレードル角度を多様に構成するために、第３の溝及び第４の溝は、追加的な回動された（開いた）状態を提供するためにカム２２０にさらに形成することができる。
【００２７】
また、図４及び図５に示すように、ブラケット２５０は、携帯端末機本体の底面に装着され、シャフト２６０及びクレードルボディ２１０を携帯端末機本体の底面又は所定位置に固定させる。
クレードルボディ２１０は、ブラケット２５０によってシャフト２６０を中心に回動自在に装着され、カム２２０はシャフト２６０を用いてブラケット２５０に固定されている。ブラケット２５０の端部には、シャフト２６０が貫通する開口が備えられる。
【００２８】
クレードルボディ２１０の閉状態では、ブラケット２５０は、ハウジング２１２を完全に受容する開放空間２５１を含み、この構成は、クレードル装置２０のスリム化に寄与する。すなわち、クレードルボディ２１０が閉状態である場合、ブラケット２５０、ハウジング２１２、及びカム２２０は、クレードルボディ２１０の長手方向に沿って線形的に並列に配置される。このような配列は、クレードル装置２０のスリム化に有利である。
【００２９】
次に、図７及び図８を参照して、クレードル装置２０の開閉動作について説明する。
図７はクレードルボディ２１０の閉状態を示し、図８はクレードルボディ２１０の回動された（開いた）状態を示す。
図７に示すようにクレードルボディ２１０の閉状態では、部材２４０、２４２は、弾性体２３０、２３２により支持されつつ第１の溝２２３ａ、２２３ｂに挿入された状態を保持する。このような保持力は、クレードルボディ２１０の閉状態を保持する。
【００３０】
ユーザーがクレードルボディ２１０を所定の角度で回動させた時、部材２４０、２４２は、第１の溝２２３ａ、２２３ｂから離脱し、接続溝２２５ａ、２２５ｂを通って第２の溝２２４ａ、２２４ｂに挿入される。
この保持力は、クレードルボディ２１０の回動された（開いた）状態を保持する。この動作中に、弾性体２３０、２３２は、クレードルボディ２１０の長手方向に従って圧縮及び引張される。
【００３１】
さらに、図１及び図２に示すように、クレードル装置２０のクレードルボディ２１０を受け入れる受容凹部（ｒｅｃｅｉｖｉｎｇ  ｒｅｃｅｓｓ）（図示せず）は、携帯端末機本体１０の底面１０１から所定の深さで窪ますように形成される。
【００３２】
クレードル装置２０は、閉状態でクレードルボディ２１０を支持するホルダーを含む。ホルダーは、突起１０３と開口２１１とから構成される。
受容凹部の中央にはクレードルボディ２１０の閉状態を維持するように突起１０３が設置され、クレードルボディ２１０には、突起１０３に対応する開口２１１が設置される。図１に示したクレードルボディ２１０が受容凹部に受容される場合、開口２１１は、突起１０３と完全結合され、突起１０３と開口２１１との間の結合は、閉状態でクレードルボディ２１０の移動を防止する。
【００３３】
尚、本発明は、上述の実施形態に限られるものではない。本発明の技術的範囲から逸脱しない範囲内で多様に変更実施することが可能である。
【符号の説明】
【００３４】
１０    携帯端末機の本体
２０    クレードル装置
１０１    底面
１０２    ディスプレイ装置
１０３    突起
２１０    クレードルボディ
２１１    開口
２１２    ハウジング
２２０    カム
２２１    カム面
２２２    平坦面
２２３ａ、２２３ｂ    第１の溝
２２４ａ、２２４ｂ    第２の溝
２２５ａ、２２５ｂ    接続溝
２３０、２３２    弾性体
２４０、２４２    部材
２５０    ブラケット
２５１    開放空間
２６０    シャフト
【図１】
0005841456.tif 000002
【図２】
0005841456.tif 000003
【図３】
0005841456.tif 000004
【図４】
0005841456.tif 000005
【図５】
0005841456.tif 000006
【図６】
0005841456.tif 000007
【図７】
0005841456.tif 000008
【図８】
0005841456.tif 000009